(57)【要約】【課題】  配管を、適正かつ迅速に行える勾配指標装置及び受光標尺を提供することにある。【解決手段】  略水平に伸びる棒状の光源基台と光源基台の一方の端部に設けられた回動軸で光源基台と鋏状に係合された棒状の固定基台とを有する基台部と、回動軸を回動中心として光源基台の上下方向の傾斜角度を規制する傾斜角度調整手段と、出射口と回動軸とを結ぶ直線を照射軸として、光源基台の他方の端部から直線的な可視光を照射可能に光源基台に設けられた光源と、光源基台又は固定基台の少なくともいずれか一方に設けられた水平器と、回動軸の回動円弧に沿った弧状に湾曲し、光源基台又は固定基台のいずれか一方に固定されると共に光源基台と固定基台との間に架け渡された勾配目盛板とを備えることを特徴とする。【選択図】図１
2013245978.tif 000002
【特許請求の範囲】
【請求項１】
配管工事時に敷設する配管の勾配を指し示す勾配指標装置において、
略水平に伸びる棒状の光源基台と、該光源基台の一方の端部に設けられた回動軸で該光源基台と鋏状に係合された棒状の固定基台とを有する基台部と、
該回動軸を回動中心として該光源基台の上下方向の傾斜角度を規制する傾斜角度調整手段と、
出射口と該回動軸とを結ぶ直線を照射軸として、該光源基台の他方の端部から直線的な可視光を照射可能に該光源基台に設けられた光源と、
該光源基台又は該固定基台の少なくともいずれか一方に設けられた水平器と、
該回動軸の回動円弧に沿った弧状に湾曲し、該光源基台又は該固定基台のいずれか一方に固定されると共に該光源基台と該固定基台との間に架け渡された勾配目盛板とを備えることを特徴とする勾配指標装置。
【請求項２】
前記水平器が、前記光源に設けられていることを特徴とする請求項１記載の勾配指標装置。
【請求項３】
前記光源が、レーザ光を照射するレーザ光源であることを特徴とする請求項１又は請求項２記載の勾配指標装置。
【請求項４】
前記勾配目盛板の目盛が、前記配管の所望の傾斜角に相応した間隔に区切られていることを特徴とする請求項１〜請求項３のいずれかに記載の勾配指標装置。
【請求項５】
請求項１から請求項４記載の前記勾配指標装置の光源から照射された可視光を投影する投影面を有する支持棒を備えることを特徴とする受光標尺。
【請求項６】
前記投影面を構成する投影部を備え、
該投影部を、前記支持棒の軸方向の任意の位置に固定することが可能であることを特徴とする請求項５記載の受光標尺。
【請求項７】
前記投影部を、前記支持棒の軸方向に沿って摺動可能であることを特徴とする請求項６記載の受光標尺。
【発明の詳細な説明】
【技術分野】
【０００１】
本発明は、配管工事時に敷設する配管の勾配を指し示す勾配指標装置及び受光標尺に関する。
【背景技術】
【０００２】
従来より、屋外排水設備を設置する際は、所定の勾配を持った排水管内を自然流下させるように配管を行っている。屋外排水設備では、設置する管の管径が、建物面積、宅地面積、収容人数などによって定められている。そのため自然流下の管は、管径に適した勾配での施工が求められている。このため、所望の勾配で施工する際、２人の作業員のうちの一人がレベルを覗き、もう一人がスタッフ棒を持って、高さを測り、距離による計算をしながら、掘削深を確認しながら床ならし作業をしていた。または、水平と思われる建物の基礎部分から水平器を当てて、距離を測り勾配率を計算しながら掘削深の確認をしながらの床ならし作業をしていた。
【０００３】
特許文献１〜３に示されるように、下水道などで使われる同様の目的に近い装置も在るが、マンホール内に装置を設置しての作業のため、一般的屋外排水設備の小口径の配管ではその内部の設置は不可能である。
【０００４】
尚、掘削後は、管を仮置きしては気泡管付き勾配計を管に乗せて勾配を見るか、水平器を当てて勾配を見ていた。ここで、自然流下の排水は排水桝間においては、排水管内を汚物などが滞留することが無いよう、湾曲しないように、一直線で結ばれることも、重要なポイントとなる。
【先行技術文献】
【特許文献】
【０００５】
【特許文献１】特開平０７−１４６１４０号公報
【特許文献２】特開２００１−１５９１８４号公報
【特許文献３】特開平０８−６８６２９号公報
【発明の概要】
【発明が解決しようとする課題】
【０００６】
しかしながら、従来の方法では、少なくとも２人の作業員で工事を進める必要があり、効率的な作業が困難であった。
【０００７】
さらに、屋外排水設備に於ける施工手順としては、設計図面上に記された深さで床ならしをし、接続する管を仮置きした上に各種の勾配の水平器の付いた勾配器で確認しながら接続していたが、この勾配器ではその物の長さが短いため、長い管では途中のたるみ、ふくらみ、湾曲など管全体を網羅するには困難が伴っていた。
【０００８】
本発明は、このような事情に鑑みてなされたもので、配管を、適正かつ迅速に行える勾配指標装置及び受光標尺を提供することにある。
【課題を解決するための手段】
【０００９】
請求項１記載の勾配指標装置は、略水平に伸びる棒状の光源基台と光源基台の一方の端部に設けられた回動軸で光源基台と鋏状に係合された棒状の固定基台とを有する基台部と、回動軸を回動中心として光源基台の上下方向の傾斜角度を規制する傾斜角度調整手段と、出射口と回動軸とを結ぶ直線を照射軸として、光源基台の他方の端部から直線的な可視光を照射可能に光源基台に設けられた光源と、光源基台又は固定基台の少なくともいずれか一方に設けられた水平器と、回動軸の回動円弧に沿った弧状に湾曲し、光源基台又は固定基台のいずれか一方に固定されると共に光源基台と固定基台との間に架け渡された勾配目盛板とを備えることを特徴とする。
【００１０】
請求項２記載の勾配指標装置は、水平器が、光源に設けられていることを特徴とする。
【００１１】
請求項３記載の勾配指標装置は、光源が、レーザ光を照射するレーザ光源であることを特徴とする。
【００１２】
請求項４記載の勾配指標装置は、勾配目盛板の目盛が、配管の所望の傾斜角に相応した間隔に区切られていることを特徴とする。
【００１３】
請求項５記載の受光標尺は、請求項１から請求項４記載の勾配指標装置の光源から照射された可視光を投影する投影面を有する支持棒を備えることを特徴とする。
【００１４】
請求項６記載の受光標尺は、投影面を構成する投影部を備え、投影部を、支持棒の軸方向の任意の位置に固定することが可能であることを特徴とする。
【００１５】
請求項７記載の受光標尺は、投影部を、支持棒の軸方向に沿って摺動可能であることを特徴とする。
【発明の効果】
【００１６】
本願の発明によれば、所望の角度で照射された可視光を目安に、所望の勾配で配管を敷設するための埋設溝の掘削及び床ならしが適正かつ迅速に行える。
【図面の簡単な説明】
【００１７】
【図１】本発明に係る勾配指標装置の構造の一例を示す説明図である。
【図２】本発明に係る受光標尺の構造の一例を示す説明図である。
【図３】同勾配指標装置及び受光標尺の使用方法を示す説明図である。
【図４】同勾配指標装置及び受光標尺の使用方法を示す説明図である。
【発明を実施するための形態】
【００１８】
以下、本発明の形態について図面を参照しながら具体的に説明する。図１は、本発明に係る勾配指標装置の構造の一例を示す説明図である。図２は、本発明に係る受光標尺の構造の一例を示す説明図である。図３及び図４は、同勾配指標装置及び受光標尺の使用方法を示す説明図である。
【００１９】
図における勾配指標装置１及び受光標尺６は、配管工事時に敷設する管やＵ字溝等の勾配を指し示すものである。勾配指標装置１及び受光標尺６は、地中に所定の勾配を付けて敷設する必要があるものの施工に、広く適用することができる。図１の勾配指標装置１は、基台部１０、レーザ光源２０、水平器３０、勾配目盛板３６、傾斜角度調整手段４０、三脚５０等から構成されている。
【００２０】
基台部１０は、略水平に伸びる棒状の光源基台１４と、光源基台１４の一方の端部に設けられた回動軸１６で光源基台１４と鋏状に係合された棒状の固定基台１２とから構成されている。そして、固定基台１２の上方には光源基台１４が位置し、固定基台１２の下面には三脚５０が設けられている。基台部１０の光源基台１４は、回動軸１６を中心に、固定基台１２に対して上下に揺動する（図１の矢印参照）。
【００２１】
固定基台１２の回動軸１６の反対側の端部付近の下面には、上面に向かってボルト４２が螺挿され、このボルト４２の上端が、光源基台１４の下面に当接している。また、ボルト４２の固定基台１２の下面から突出する端部には、つまみ４４が設けられている。このつまみ４４を介してボルト４２を回転させると、固定基台１２の上面に突出するボルト４２の長さが変わり、光源基台１４を押し下げたり、押し上げたりすることになり、光源基台１４が回動軸１６を中心に上下に揺動（回動）することになる。すなわち、ボルト４２が、回動軸１６を回動中心として光源基台１４の上下方向の傾斜角度を規制する傾斜角度調整手段４０となっている。尚、傾斜角度調整のための手段は、本実施例のボルト４２によるものに限られず、他の手段を用いて光源基台１４の上下方向の傾斜角度を調整するようにしてもよい。
【００２２】
光源基台１４の上面には、左右方向に伸びるレーザ光源２０が設けられている。レーザ光源２０は、出射口２２を、回動軸１６とは逆方向に向けて設けられている。そして、出射口２２と回動軸１６とを結ぶ直線を照射軸Ｌとして、光源基台１４の端部から直線的な可視光（レーザ光Ｂ）を発射可能に設けられている。尚、本実施例の光源として、レーザ光源を用いているが、直線的な可視光を発射可能な光源であればレーザ光源に限られるものではない。また、レーザ光源２０には、水平器３０が設けられている。水平器３０は、必ずしも光源に設けられている必要はなく、光源基台１４又は固定基台１２の少なくともいずれか一方に設けられていればよく、本実施例の場合、レーザ光源２０に設けられることで光源基台１４に設けられたようになっている。
【００２３】
光源基台１４と固定基台１２との側面の間には、それらに架け渡されて勾配目盛板３６が設けられている。勾配目盛板３６は、回動軸１６の回動円弧に沿った弧状に湾曲し、回動軸１６に向かって引かれた勾配目盛３６ｂが、所定間隔で描かれている。この勾配目盛３６ｂは、光源基台１４の傾斜角度を示す間隔で描かれている。尚、この勾配目盛３６ｂの間隔は、適宜定めれば良いが、敷設する配管Ｐの所望の傾斜角（勾配）に相応した間隔にしておくことも可能である。一方、勾配目盛板３６の勾配目盛３６ｂが描かれた先の固定基台１２の側面には、一筋の基準目盛３６ａが描かれている。尚、本実施例では、勾配目盛板３６を光源基台１４の側面に固定し、固定基台１２の側面を摺動するように設けているが、これに限られるものではなく、固定基台１２の側面に固定し、光源基台１４の側面を摺動するようにしてもよい。
【００２４】
次に、図２に示す受光標尺６について説明する。受光標尺６は、勾配指標装置１のレーザ光源２０から照射された可視光（レーザ光Ｂ）を投影する投影面を有する支持棒６０と、投影面を構成する投影部６２からなる。投影部６２は、支持棒６０の軸方向に沿って摺動可能で、支持棒６０の軸方向の任意の位置に固定することが可能な固定具６４を有している。投影部６２の投影面には、十字状の標的マーク６２ａと、横線状の複数の指標マーク６２ｂとが描かれている。この標的マーク６２ａと指標マーク６２ｂは、レーザ光Ｂが投影された位置を見やすく示すもので、その形態により制限されるものではない。
【００２５】
次に、以上のような本実施の形態における勾配指標装置１と受光標尺６の使用方法を説明する。まず、三脚５０を介して、勾配指標装置１の照射軸Ｌが配管Ｐの埋設方向に向くように地面Ｇに勾配指標装置１を載置する。そして、レーザ光源２０に設けられた水平器３０で確認しつつ、光源基台１４を揺動させて、レーザ光源２０が水平になるように調整していく。
【００２６】
次に、傾斜角度調整手段４０のつまみ４４を回してボルト４２の突出量を調整し、固定基台１２に対して光源基台１４を揺動させる。光源基台１４すなわちレーザ光源２０（照射軸Ｌ）を傾斜させる角度が、敷設したい配管Ｐの勾配になるように傾斜角度調整手段４０を動かしていく。この傾斜させたい角度は、勾配目盛板３６の勾配目盛３６ｂと固定基台１２の基準目盛３６ａとの間で読むようにする。この状態でレーザ光源２０からレーザ光Ｂを照射させる。ここで、水平軸Ｈと照射軸Ｌとでなす傾斜角度θｂが、配管Ｐの所望の勾配角θａと等しくなっている。勾配指標装置１をここまでセットして、配管Ｐを敷設した地面Ｇを掘り進めていく。
【００２７】
掘り進めた埋設溝Ｄが、おおよその深さになったところで、図３に示すように、受光標尺６の支持棒６０を、埋設溝Ｄの底に立てるようにする。そして、投影部６２を支持棒６０に沿って上下に摺動させて高さを調整し、レーザ光Ｂが、標的マーク６２ａに当たるようにする。このときの標的マーク６２ａの高さが、配管Ｐを敷設すべき深さに相当する位置に来ている場合は、埋設溝Ｄの深さが適切ということになる。もし、埋設溝Ｄの深さが適切でない場合には、さらに掘り進めるなり、埋め戻すなりして、深さを調整する。そして、埋設溝Ｄの一箇所の深さが確定したその位置で、投影部６２を固定具６４を介して支持棒６０に固定させる。
【００２８】
そして、深さが決まれば、さらに掘り進み、必要に応じて受光標尺６を埋設溝Ｄの底で移動させ、レーザ光Ｂが、投影部６２の標的マーク６２ａに当たることを確認する。もし、レーザ光Ｂが標的マーク６２ａに当たらないようであれば、当たるように埋設溝Ｄの底の床慣らしをしていく。最終的には、埋設溝Ｄの底のあらゆる点で、レーザ光Ｂが標的マーク６２ａに当たるようにし、埋設溝Ｄの掘削が終了する。
【００２９】
次に、図４に示すように、掘削した埋設溝Ｄの底に、配管Ｐを設置して接続していく。配置・接続した配管Ｐの上に、受光標尺６の支持棒６０を立て、投影部６２を支持棒６０に沿って上下に摺動させて高さを調整し、レーザ光Ｂが、標的マーク６２ａに当たるようにする。そして、この位置で投影部６２を支持棒６０に固定する。その上で、受光標尺６を、配管Ｐの他の位置に立て、レーザ光Ｂが標的マーク６２ａに当たるようであれば、配管Ｐは、適切な勾配で配置されていることになる。
【００３０】
このように、本実施の形態における勾配指標装置１によれば、所望の角度で照射されたレーザ光Ｂ（可視光）を目安に、所望の勾配で配管Ｐを敷設するための埋設溝Ｄの掘削及び床ならしが適正かつ迅速に行える。また、基台部１０、レーザ光源２０、水平器３０、勾配目盛板３６、傾斜角度調整手段４０、三脚５０等だけの簡易な構造で、且つレーザ光源２０の水平軸Ｈからの角度を定めるのみで、指標となるレーザ光Ｂの傾斜（配管Ｐの勾配）を容易に指し示すことができて操作が容易なことから、施工現場での取り扱いがしやすい。
【００３１】
さらに、勾配指標装置１の水平器３０を、レーザ光源２０に設けることで、市販のレーザ付水平器を用いることができ、装置のコストを抑えることが可能である。
【００３２】
さらに、勾配指標装置１の光源を、レーザ光を照射するレーザ光源２０にすることで、直線性にすぐれた正確な可視光により、施工が可能となる。その上、レーザ光Ｂは、数十メートルに渡って直線性のある光であることから、長い配管Ｐでの途中のたるみ、ふくらみ、湾曲など管全体を網羅することも可能であり容易である。
【００３３】
さらに、勾配指標装置１の勾配目盛板の目盛を、配管Ｐの所望の傾斜角に相応した間隔に区切ることで、勾配の具体的な角度の数値を明確に意識することなく、単に目盛に合わせれば所望の角度の設定ができ、取り扱いが容易となる。
【００３４】
また、本実施の形態における受光標尺６によれば、支持棒６０と投影部６２だけの簡易な構造で、施工現場での取り扱いがしやすい。
【００３５】
尚、本実施の形態の勾配指標装置１では、固定基台１２の上方に光源基台１４を配設する構造になっているが、上下が逆になっていてもよく、基台部１０の構造により限定されるものではない。また、上記の使用法の説明においては、レーザ光Ｂを水平軸Ｈに対して上方向に傾斜させているが、逆に、レーザ光Ｂを水平軸Ｈより下に向けて、勾配指標装置１及び受光標尺６を用いることが可能である。
【産業上の利用可能性】
【００３６】
以上のように、本発明によれば、所望の角度で照射された可視光を目安に、所望の勾配で配管を敷設するための埋設溝の掘削及び床ならしが適正かつ迅速に行える勾配指標装置及び受光標尺を提供することができる。
【符号の説明】
【００３７】
１・・・・・勾配指標装置
６・・・・・受光標尺
１０・・・・基台部
１２・・・・固定基台
１４・・・・光源基台
１６・・・・回動軸
２０・・・・レーザ光源
２２・・・・出射口
３０・・・・水平器
３６・・・・勾配目盛板
３６ａ・・・基準目盛
３６ｂ・・・勾配目盛
４０・・・・傾斜角度調整手段
４２・・・・ボルト
４４・・・・つまみ
５０・・・・三脚
６０・・・・支持棒
６２・・・・投影部
６２ａ・・・標的マーク
６２ｂ・・・指標マーク
６４・・・・固定具
Ｇ・・・・・地面
Ｈ・・・・・水平軸
Ｌ・・・・・照射軸
Ｂ・・・・・レーザ光
Ｄ・・・・・埋設溝
Ｐ・・・・・配管
【図１】
2013245978.tif 000003
【図２】
2013245978.tif 000004
【図３】
2013245978.tif 000005
【図４】
2013245978.tif 000006